(57)【要約】【課題】施錠機能を備える収納庫、特に、自動販売機・アミューズメント機器、キャッシュディスペンサー・貴重品収納用ロッカー等の金品を取り扱う収納庫に関し、合い鍵等による不正解錠を阻止する。【解決手段】表側に鍵穴を有し、裏側に鍵の操作により回動するロックプレートを備え、鍵の回動により開閉できる開閉扉を有する収納庫において、前記ロックプレートの移動面に出没する突片によりロックプレートの回動を許否するロックプレート回動許否機構を収納庫の内部に備えて構成される。【選択図】    図１
2005171591.tif 000002
【特許請求の範囲】
【請求項１】
表側に鍵穴を有し、裏側に鍵の操作により回動するロックプレートを備え、鍵の回動により開閉できる開閉扉を有する収納庫において、
前記ロックプレートの移動面に出没する突片によりロックプレートの回動を許否するロックプレート回動許否機構を収納庫の内部に備えてなることを特徴とする収納庫。
【請求項２】
前記突片が、ソレノイドバルブから突出したロッドであり、前記ソレノイドバルブが、ソレノイドコイルと、前記ソレノイドコイル内に移動可能に挿入されるロッドを構成する可動鉄芯と、前記可動鉄芯を吸引する固定鉄芯と、同可動鉄芯を復帰方向へ付勢する復帰バネとから構成されてなることを特徴とする請求項１に記載の収納庫。
【請求項３】
前記突片がアクチュエータで制御され、アクチュエータの非作動時にロックプレートの回動を阻止する位置に突片が配置され、作動時にロックプレートの回動を妨げない位置に突片が配置されるように構成されてなることを特徴とする請求項１に記載の収納庫。
【請求項４】
前記ロックプレート回動許否機構の制御が、収納庫の外部に備えられた遠隔制御手段により行われることを特徴とする請求項１〜３のいずれか１項に記載の収納庫。
【請求項５】
前記収納庫が、自動販売機であることを特徴とする請求項１〜４のいずれか１項に記載の収納庫。
【請求項６】
前記収納庫が、ゲーム機やパチンコ機などのアミューズメント機器であることを特徴とする請求項１〜４のいずれか１項に記載の収納庫。
【発明の詳細な説明】
【技術分野】
【０００１】
本発明は、施錠機能を備える収納庫、特に、自動販売機・アミューズメント機器、キャッシュディスペンサー・貴重品収納用ロッカー等の金品を取り扱う収納庫に関するものである。
【背景技術】
【０００２】
近年、各種の自動販売機や、遊戯具、自動両替機、精算機等、金銭を投入することにより、その投入者に商品やサービスが提供される機器が多数使われている。
これら機器は、その多くが、機器を構成する収納庫の前面あるいは側面に扉部を備え、前記扉部に配置された施錠部材を介して施錠されている。
特に、施錠部材として多く使われているものに、施錠部材の前面に形成された鍵穴に鍵を挿入し、前記鍵を回動することにより、同鍵の回動に連動して回動するように扉部裏側に配置されたロックプレートが回動し解錠される構成のものが挙げられる。
その他、種々の施錠部材が使われているが、最近は不正な手段による解錠を防止するために、様々な対応がなされた施錠部材が使われており、鍵の構造を今までのものより複雑にしたり、一枚の扉に複数個の施錠部材を設ける構成としたり、不正行為者がバール等を用いて扉部をこじ開けようとしても、扉部が十分には開かないよう板部材の半部を収納庫本体に溶接して構成されるものなども開示されている。
【特許文献１】特開平１０−２６１１４８号公報
【発明の開示】
【発明が解決しようとする課題】
【０００３】
ところで、近年インターネットの普及等によって、様々な方法で合鍵が流通しており、不正に入手された合鍵によって、各種収納庫に備えられた施錠部材が不正に解錠され金品が盗まれる事件が増加傾向にあり、バール等を用いた破壊行為による不正解錠や、ピッキングなどによる不正解錠に対する対応だけでなく、適合する鍵による不正な解錠を防ぐための対応が急務となってきている。
そのために、鍵の構造だけでなく施錠部材自体の構造を複雑にしたり、鍵の種類を増やしたり等の対応が図られているが、鍵の複製の流出を防ぐことが難しく、根本的な不正解錠の解決にはつながっていない。
また、新規に備えられる収納庫等には、鍵を使用しない電子ロック等の施錠装置が備えられるなどの対応が図られているものもあるが、従来の鍵を使用する施錠部材と比べコストが高いという問題があり、また、既存の収納庫に電子ロック等の施錠装置を備える（鍵を使用する施錠部材と交換する等）には、莫大なコストがかかるという問題がある。
以上のようなことから、合鍵等を用いて不正に解錠されることへの対応、特に既存の収納庫に備えられている施錠部材における不正解錠を阻止すべく、早急な対応が望まれている。
【課題を解決するための手段】
【０００４】
本発明は、上記問題点を解決するものであり、施錠機能を備える収納庫、特に、自動販売機・アミューズメント機器、キャッシュディスペンサー・貴重品収納用ロッカー等の金品を取り扱う収納庫に関し、不正解錠を阻止するものである。
すなわち、下記構成の収納庫及び同収納庫を用いたセキュリティシステムである。
（１）表側に鍵穴を有し、裏側に鍵の操作により回動するロックプレートを備え、鍵の回動により開閉できる開閉扉を有する収納庫において、
前記ロックプレートの移動面に出没する突片によりロックプレートの回動を許否するロックプレート回動許否機構を収納庫の内部に備えてなることを特徴とする収納庫。
（２）前記突片が、ソレノイドバルブから突出したロッドであり、前記ソレノイドバルブが、ソレノイドコイルと、前記ソレノイドコイル内に移動可能に挿入されるロッドを構成する可動鉄芯と、前記可動鉄芯を吸引する固定鉄芯と、同可動鉄芯を復帰方向へ付勢する復帰バネとから構成されてなることを特徴とする前記（１）に記載の収納庫。
（３）前記突片がアクチュエータで制御され、アクチュエータの非作動時にロックプレートの回動を阻止する位置に突片が配置され、作動時にロックプレートの回動を妨げない位置に突片が配置されるように構成されてなることを特徴とする（１）に記載の収納庫。
（４）前記ロックプレート回動許否機構の制御が、収納庫の外部に備えられた遠隔制御手段により行われることを特徴とする前記（１）〜（３）のいずれか１項に記載の収納庫。
（５）前記収納庫が、自動販売機であることを特徴とする前記（１）〜（４）のいずれか１項に記載の収納庫。
（６）前記収納庫が、ゲーム機やパチンコ機などのアミューズメント機器であることを特徴とする前記（１）〜（４）のいずれか１項に記載の収納庫。
【発明の効果】
【０００５】
本発明の収納庫は、表側に鍵穴を有し、裏側に鍵の操作により回動するロックプレートを備え、鍵の回動により開閉できる開閉扉を有し、前記ロックプレートの移動面に出没する突片によりロックプレートの回動を許否するロックプレート回動許否機構を収納庫の内部に備えて構成されるので、開閉扉表側に備えられた鍵穴に適合する鍵による操作だけでは、ロックプレートを回動することができないため、解錠することができず、不正な解錠を阻止することができる。
また、本発明にかかるロックプレート回動許否機構の突片をソレノイドバルブから突出したロッドで構成したり、アクチュエータで制御する構成とすることにより、複雑なシステムや大きな装置を必要とせずに、安全性の高い収納庫を提供することができる。
【０００６】
さらに、本発明にかかるロックプレート回動許否機構は、新規に製造される収納庫だけでなく、既存の収納庫に容易に取り付けることができるものであり、既存の収納庫に改修等を加えることなく、収納庫の内部に強力接着剤や両面テープあるいはボルト等でロックプレート回動許否機構を固着して配置することにより、簡易に取付でき、既存の収納庫においても本発明の収納庫を簡易に実現することができる上に、低コストで防犯性能の高い収納庫を得ることができる。
そして、前記ロックプレート回動許否機構は、収納庫の内部のロックプレートの移動面に突片が出没する位置に配置されるので、収納庫の外観上はその存在を知られることはなく、また不正な解錠を行おうとする者が直接操作することはできず、前記ロックプレート回動許否機構を備えた本発明の収納庫は、不正な合鍵等で解錠を行うことはできないので、極めて安全性の高い収納庫を提供することができる。
【０００７】
さらに、ロックプレート回動許否機構の制御を行う制御装置を収納庫の外部に設けた遠隔制御手段で行うことにより、収納庫の施錠・解錠の管理を遠隔で制御することができるとともに、複数の収納庫を統括的に管理することができるので、管理が容易でかつ、不正な解錠を阻止できる安全性の高い収納庫の管理ができる。
また、制御装置の管理者と、収納庫の鍵の管理者を別にすれば、さらにセキュリティの強化を図ることができる。
【発明を実施するための最良の形態】
【０００８】
本発明の収納庫は、表側に鍵穴を有し、裏側に鍵の操作により回動するロックプレートを備えた、同鍵の回動により開閉できる開閉扉を有するものであり、前記ロックプレートの移動面に出没する突片によってロックプレートの回動を許否するロックプレート回動許否機構を、前記収納庫の内部に備えて構成されるものである。
なお、本発明における収納庫は、前記鍵穴に鍵を挿入し、同鍵を回動することによりロックプレートが連動して回動し解錠・施錠され、扉が開閉される構造のものであれば、その鍵部材の形状や大きさは問わず、また、あらゆる用途や形状の収納庫に適用できるものであり、例えば、チケットや飲食物を販売するための自動販売機、自動両替機や精算機、ゲーム機やパチンコ機などのアミューズメント機器、キャッシュディスペンサー、貴重品収納用ロッカー等の金品を取り扱う収納庫など高い安全性が求められる収納庫に好適に用いられるものである。
【０００９】
そして、本発明における収納庫の内部には、前記ロックプレートが鍵の回動と連動して回動する際に移動する移動面に、同ロックプレートの回動を許否できるように突片が出没するように構成されたロックプレート回動許否機構を備えて構成されている。
前記ロックプレート回動許否機構は、収納庫を解錠・施錠する際には、突片がロックプレートの移動面を妨げない位置に配置されロックプレートを任意に回動することができるように構成され、収納庫を解錠・施錠しない時、即ち、施錠状態を維持したいとき、あるいは解錠状態を維持したい時には、突片がロックプレートの移動面に配置され、ロックプレートが前記突片に衝突し回動しないように構成される。
【００１０】
すなわち、本発明の収納庫は、上記のようにロックプレート回動許否機構が収納庫内部に備えられて構成されるので、不正な解錠をしようとした者が合鍵等で鍵穴に鍵を挿入して回動しても、扉の裏側のロックプレートが突片に回動を妨げられ、不正に解錠することができない構成となっているものである。
そして、前記ロックプレート回動許否機構は、ロックプレートの移動面に突片を出没させ、ロックプレートの回動を妨げる位置及び妨げない位置に任意に変更ができるように構成されている。
なお、突片を出没させる手段は、任意にロックプレートの回動を妨げる位置と妨げない位置に突片の位置を変更できる手段であれば、どのような手段を選択することもできるが、例えば、前記突片を、ソレノイドバルブから突出したロッドで構成し、ロッドの移動で行う手段が挙げられる。
その構成の一例としては、ソレノイドバルブを、ソレノイドコイルと、前記ソレノイドコイル内に移動可能に挿入されるロッドを構成する可動鉄芯と、前記可動鉄芯を吸引する固定鉄芯と、同可動鉄芯を復帰方向へ付勢する復帰バネとから構成することにより、通電時には、可動鉄芯（ロッド）がソレノイドコイル内に固定鉄芯へ向かって吸引され、可動鉄芯（ロッド）の先端がロックプレートの移動面から移動し、ロックプレートの回動を妨げない状態となり、通電が解除されると、可動鉄芯が復帰バネにより復帰位置に戻り、ロックプレートの移動面に配置され、ロックプレートの回動を阻止する状態とすることができる構成が挙げられる。
【００１１】
その他、ロックプレート回動許否機構を、非作動状態でロックプレートの回動を阻止する位置に突片を配置するし、作動状態でロックプレートの回動を妨げない位置に突片を配置するように変位できるように切換操作できる電動式のアクチュエータで構成したり、非通電時には、ロックプレートの回動を阻止する位置に突片を配置し、通電時にはロックプレートの回動を妨げない位置に突片を配置するように構成された形状記憶合金などでロックプレート回動許否機構を構成することもできる。
なお、いずれの手段を選択する場合においても、ロックプレート回動許否機構に通電されていない時には、突片がロックプレートの回動を阻止するように配置され、通電によって突片がロックプレートの回動を妨げない位置に移動するように構成すると、停電や災害などにより予期せぬ非通電時が生じても、鍵だけでの解錠を防ぐことができ、よりセキュリティ性の高い収納庫となる。
そして、前記ロックプレート回動許否機構の突片の位置を変更する操作、例えば通電・非通電の制御を、収納庫に付設せず収納庫の外部に設置した遠隔制御手段によって管理することによって、さらに不正な解錠等に対する安全性の高い収納庫を構成することができる。
なお、本発明にかかるロックプレート回動許否機構は、各収納庫に備えられるものであり、１個又は複数個の収納庫を、個別に管理し制御することができるが、さらに前記制御を、遠隔制御手段で集中的に管理する構成とすることにより、複数の収納庫の安全性の高い管理が統括的にできるものとなる。
【００１２】
ところで、本発明にかかるロックプレート回動許否機構は、新規に製造される収納庫に備えることはもちろん、既存の収納庫に取り付けることができるものでもある。
すなわち、ロックプレート回動許否機構は、収納庫の扉に備えられる鍵穴やロックプレートとは別に形成され、同鍵穴やロックプレートの回動とは連動しない独立したものとして構成される。そして、収納庫の内部に強力接着剤や両面テープあるいはボルト等で固着されて配置される。
そのため、本発明にかかるロックプレート回動許否機構は、既存の収納庫にも改修等をすることなく、簡易に取付でき、既存の収納庫においても本発明の収納庫を簡易に実現することができるものとなっている。
また、ロックプレート回動許否機構は、収納庫の内側のロックプレートの移動面に突片が出没する位置に配置されるので、収納庫の外観上はその存在を知られることはなく、また不正な解錠を行おうとする者が直接操作することはできないので、極めて安全性の高い収納庫とすることができるものとなっている。
さらに、ロックプレート回動許否機構は複雑なシステムや装置を必要としない簡易な構造で構成されるので、低コストで不正解錠を阻止することができるものとなっている。
【実施例】
【００１３】
本発明の実施の形態を図に基づいて説明する。
図１は本発明の収納庫の説明用斜視図、図２は本発明の収納庫の説明用斜視図、図３は本発明の収納庫の説明用斜視図、図４−１及び図４−２は、本発明の収納庫の説明用正面図及び側面断面図、図５は、本発明の収納庫の説明用正面図及び側面断面図であり、図６は本発明の収納庫の集中管理における回路図である。
図中、１は収納庫、２は鍵穴、３はロックプレート、４は開閉扉、４ａは開閉扉の表側、４ｂは開閉扉の裏側、５はロックプレートの移動面、６は突片、７はロックプレート回動許否機構、８は制御ボックス、８ａは手動制御用スイッチ、８ｂは自動制御用スイッチである。
【００１４】
本発明の収納庫１は、図１、図２及び図３の本発明の収納庫の説明用斜視図に示すように、開閉扉４の表側４ａに鍵穴２を有し、同扉４の裏側（４ｂ：図４−１及び図４−２参照）にロックプレート３が鍵穴２に挿入される鍵（２ａ：図４−１及び図４−２参照）の操作により回動するように構成され、前記ロックプレート３の回動により、開閉扉４が開閉するように構成されたものである。そして、収納庫１の内部には、前記ロックプレートの移動面５に出没する突片６によってロックプレート３の回動を許否するロックプレート回動許否機構７が備えられて構成されている。
【００１５】
本発明の収納庫１は、施錠時には、図３に示すように、開閉扉４が、同開閉扉４の裏側（４ｂ）に配置されたロックプレート３によって開閉できないように施錠されて用いられる。その際に、前記収納庫１の内部のロックプレート回動許否機構７に備えられた突片６が、前記ロックプレートの移動面５にロックプレート３の回動を阻止するように配置される。
上述のように施錠されるので、不正に解錠しようと鍵穴２に合鍵等を挿入し鍵穴２を回動操作しても、図１に示すように、ロックプレート３が収納庫１の内部に備えられたロックプレート回動許否機構７の突片６にその回動が阻止されて、開閉扉４が開く状態まで、ロックプレート３を回動することができない構成となっている。
もちろん、適合しない鍵等でムリに鍵穴２を操作したとしても、同様にロックプレート３が収納庫１の内部に備えられたロックプレート回動許否機構７の突片６に阻止されて回動できず、開閉扉４を開けることはできない。
本実施例においては、突片６はロッド形状であるが、ロックプレート３の回動を阻止できる形状であれば、どのような形状で構成することもできる。
なお、ロックプレート回動許否機構７は、ロックプレート回動許否機構７の突片６が、ロックプレート３が回動する移動面に出没し、ロックプレート３の回動を阻止する位置及び、回動を妨げない位置に配置して取り付けられるが、その取付個所は、ロックプレート３が回動する移動面の移動開始位置に近いことが好ましい。これは、ロックプレート３を回動させるための力が最小の位置で、ロックプレート３が突片６に衝突するようにするためであり、回動させる力が少ない方が衝撃が少なく、ロックプレート３及び突片６の損傷を最小限に防ぐためであるが、収納庫１の形状や、ロックプレート３の形状、移動面の位置等を考慮して、確実にロックプレート３の回動を阻止できる位置に取り付けることが好ましく、その取付個所は限定されない。
【００１６】
次に、管理者等が本発明の収納庫１を解錠する場合であるが、図２に示すように、まず、収納庫１の内部に設置されたロックプレート回動許否機構７の突片６をロックプレートが回動する際にロックプレートの回動を妨げない位置まで移動させた後、開閉扉４の表側４ａの鍵穴２に鍵を挿入して操作し、ロックプレート３を回動させる。管理者等による正規の解錠にあたっては、ロックプレート回動許否機構７の突片６が予め他の鍵や制御装置等によってロックプレートの回動を妨げない位置に移動されているので、鍵穴２に鍵を挿入し回動することによって、ロックプレート３が解除位置まで回動し、開閉扉４を開けることができる構造となっている。
【００１７】
図４−１及び図４−２は、本発明の収納庫の説明用正面図及び側面断面図であり、解錠方法を示すものである。
本発明の収納庫１は、施錠時は、図４−１（Ａ）に示すように、ロックプレート回動許否機構７の突片６がロックプレート３の移動面（５：図１参照）に回動を阻止するように配置されている。
そして、解錠する時には、図４−１（Ｂ）に示すように、まず、ロックプレート回動許否機構７の突片６をロックプレート３の回動を妨げない位置に移動させる。この突片６の移動は、本実施例においては、ロックプレート回動許否機構７がソレノイドバルブで構成されているので、通電により行われる。通電操作等の制御は管理者等のみができるように、制御装置を安全性の高い場所、例えば収納庫の外部に設置し、安易に第三者が通電操作等をすることができないようにしておく。
そして、突片６が移動した後に、図４−１（Ｃ）に示すように、鍵２ａを鍵穴２に挿入して回動する。
突片６は既にロックプレート回動許否機構７の回動を妨げない位置に移動しているので、図４−２（Ｄ）に示すようにロックプレート３は鍵２ａが挿入された鍵穴２の動きに連動して、回動する。
そして、図４−２（Ｅ）に示すようにロックプレート３を開閉扉４が開く位置まで回動させると、解錠され、図４−２（Ｆ）に示すように開閉扉４を開けることができる。
【００１８】
図５に示す本発明の収納庫の説明用正面図及び側面断面図は、不正解錠した場合を示すものである。
図５（Ａ）において、収納庫１はロックプレート３が回動する際に移動する移動面にロックプレート回動許否機構７の突片６が配置されて施錠されている。
そして、不正に合鍵等を用いて解錠を行おうとすると、図５（Ｂ）に示すように、ロックプレート３が、突片６に阻止されて回動することができず、開閉扉４を開ける位置までロックプレート３が移動せずに、開閉扉４を開けることはできない。
【００１９】
なお、本発明にかかるロックプレート回動許否機構７を制御する装置は、収納庫１から離れた収納庫の外部に設置して管理することが好ましい。
もちろん、収納庫１あるいは、収納庫１の近くに制御用の鍵やスイッチなどの制御装置を取り付けることもできるが、収納庫１の不正な解錠を阻止するためにも、ロックプレート回動許否機構７の制御は収納庫１の外部に設けた遠隔制御手段等によって遠隔で行うようにすることにより、極めて高い安全性を得ることができる。
【００２０】
なお、本実施例においては、図示しないが、ロックプレート回動許否機構７をソレノイドバルブで構成し、前記ソレノイドバルブを、ソレノイドコイルと、突片６となる前記ソレノイドコイル内に移動可能に挿入されるロッドを構成する可動鉄芯と、前記可動鉄芯を吸引する固定鉄芯と、同可動鉄芯を復帰方向へ付勢する復帰バネとから構成している。
そして、前記ソレノイドバルブで構成されるロックプレート回動許否機構７は、通電時には突片６を構成する可動鉄芯（ロッド）がソレノイドコイル内の固定鉄芯へ向かって吸引され、同可動鉄芯（ロッド）の先端がロックプレートの移動面から移動し、ロックプレートの回動を妨げない位置まで移動する。
その後、通電が解除されると、突片６を構成する可動鉄芯が復帰バネにより復帰位置に戻り、可動鉄芯の先端がロックプレート３の移動面に位置する場所に戻り、ロックプレート３の回動を阻止する構成となっている。
本実施例においては、ロックプレート回動許否機構７をソレノイドバルブで構成し、ソレノイドバルブの可動鉄芯を突片６としたが、その他、非作動状態でロックプレート３の回動を阻止する位置に突片６を配置し、作動状態でロックプレート３の回動を妨げない位置に突片６を配置するように変位できるように切換操作できる電動式のアクチュエータでロックプレート回動許否機構７を構成するなど、収納庫１やロックプレート３の形状や用途に合わせて、ロックプレート回動許否機構７の制御方法を任意に選択することが好ましい。
【００２１】
ところで、ロックプレート回動許否機構７は、各収納庫に備えられ、それぞれ収納庫ごとに管理することができるものである。
収納庫１が１又は少数の場合には、それぞれを制御できるように管理することが好ましいが、多数の収納庫１が配置されているような場合には、ロックプレート回動許否機構７を集中的に管理することもできる。
例えば、図６の本発明の収納庫の集中管理における回路図に示すように、多数の収納庫１に備えられた各ロックプレート回動許否機構７を、制御ボックス８のスイッチの切換で制御する。
図６においては、制御ボックス８に、手動操作と自動操作の切換ができるように、Ａブロック、Ｂブロック、Ｃブロックとブロック毎に手動制御用スイッチ８ａと自動制御用のスイッチ８ｂが備えられ、任意のブロックのスイッチをＯＮにすることにより、指示されたブロックに電力を供給する電源スイッチがＯＮとなり、該当ブロックの複数の収納庫１に配置されたそれぞれのロックプレート回動許否機構７に通電され、ロックプレート回動許否機構７の突片６が移動する構成となっている。
上記のように構成することにより、本発明の収納庫１は、多数の収納庫１を、安全に統括的に管理することができる。
なお、制御ボックス８に自動制御できるように自動制御用スイッチ８ｂを付設することにより、例えば、自動制御用スイッチ８ｂをＯＮにした後に、一定時間が経過した場合には、自動的にスイッチをＯＦＦにするように設定すれば、通電を解除し忘れた場合などの人為的なミスを防止することができるものとすることができる。
【図面の簡単な説明】
【００２２】
【図１】本発明の収納庫の説明用斜視図
【図２】本発明の収納庫の説明用斜視図
【図３】本発明の収納庫の説明用斜視図
【図４−１】本発明の収納庫の説明用正面図及び側面断面図
【図４−２】本発明の収納庫の説明用正面図及び側面断面図
【図５】本発明の収納庫の説明用正面図及び側面断面図
【図６】本発明の収納庫の集中管理における回路図
【符号の説明】
【００２３】
１    収納庫
２    鍵穴
３    ロックプレート
４    開閉扉
４ａ  開閉扉の表側
４ｂ  開閉扉の裏側
５    ロックプレートの移動面
６    突片
７    ロックプレート回動許否機構
８    制御ボックス
８ａ  手動制御用スイッチ
８ｂ  自動制御用スイッチ
【図１】
2005171591.tif 000003
【図２】
2005171591.tif 000004
【図３】
2005171591.tif 000005
【図４−１】
2005171591.tif 000006
【図４−２】
2005171591.tif 000007
【図５】
2005171591.tif 000008
【図６】
2005171591.tif 000009